(57)【要約】【課題】テレビジョンから放射されるノイズをなるべく減らすことを課題とする。【解決手段】音声信号入力部２に入力されるアナログ音声信号ＳＳ１に対応した音量（ＶＳｓ）と所定の音量（ＶＳｔ）とを比較し、アナログ音声信号ＳＳ１に対応した音量（ＶＳｓ）が所定の音量（ＶＳｔ）を上回る場合に音声信号変換部３から外部出力音声信号ＳＳ２が供給されると該外部出力音声信号ＳＳ２を音声信号出力部４へ通す一方、アナログ音声信号ＳＳ１に対応した音量（ＶＳｓ）が所定の音量（ＶＳｔ）を上回らない場合に音声信号変換部３から音声信号出力部４への外部出力音声信号ＳＳ２を遮断可能な音声出力切替回路５をテレビジョン１に設ける。【選択図】図３
2012044314.tif 000002
【特許請求の範囲】
【請求項１】
所定の外部機器を接続可能なテレビジョンにおいて、
前記外部機器からアナログ音声信号を入力するための音声信号入力部と、
該音声信号入力部に入力されるアナログ音声信号を外部出力音声信号に変換するための音声信号変換部と、
前記外部出力音声信号を外部へ出力するための音声信号出力部と、
前記音声信号入力部に入力されるアナログ音声信号に対応した音量と所定の音量とを比較し、前記アナログ音声信号に対応した音量が前記所定の音量を上回る場合に前記音声信号変換部から前記外部出力音声信号が供給されると該外部出力音声信号を前記音声信号出力部へ通す一方、前記アナログ音声信号に対応した音量が前記所定の音量を上回らない場合に前記音声信号変換部から前記音声信号出力部への前記外部出力音声信号を遮断可能な音声出力切替回路とを備えることを特徴とするテレビジョン。
【請求項２】
受信した放送信号に基づいた映像表示及び音声出力を行うための放送信号入力モードと、前記所定の外部機器から信号を入力するための所定外部機器入力モードと、とを含む入力モードの中から一の入力モードの選択を受け付ける入力モード選択手段と、
前記音声信号変換部からの前記外部出力音声信号を前記音声出力切替回路へ供給するか前記音声信号出力部へ供給するかを切り替えるための音声供給切替回路と、
前記入力モードの中から前記所定外部機器入力モードが選択されている場合に前記音声供給切替回路を前記音声出力切替回路の側へ切り替える一方、前記所定外部機器入力モードが選択されていない場合に前記音声供給切替回路を前記音声信号出力部の側へ切り替える音声供給切替制御手段とをさらに備えることを特徴とする請求項１に記載のテレビジョン。
【請求項３】
前記音声出力切替回路は、
前記音声信号入力部に入力されるアナログ音声信号を増幅するための増幅回路と、
該増幅回路で増幅されたアナログ音声信号を平滑するための平滑回路と、
該平滑回路で平滑された音声信号の平滑電圧と前記所定の音量に相当する閾電圧とを比較する比較回路と、
前記音声信号変換部からの前記外部出力音声信号の入力部と前記音声信号出力部への前記外部出力音声信号の出力部との間に設けられたスイッチング回路とを備え、
該スイッチング回路は、前記平滑電圧が前記閾電圧を上回る場合の前記比較回路からの出力により前記音声信号変換部からの前記外部出力音声信号を前記音声信号出力部へ通す一方、前記平滑電圧が前記閾電圧を上回らない場合の前記比較回路からの出力により前記音声信号変換部から前記音声信号出力部への前記外部出力音声信号を遮断することを特徴とする請求項１又は請求項２に記載のテレビジョン。
【請求項４】
前記所定の外部機器から映像信号を入力するための映像信号入力部をさらに備え、
前記音声出力切替回路は、
前記映像信号入力部に前記映像信号が入力されているか否かを検出するとともに、前記音声信号入力部に入力されるアナログ音声信号に対応した音量と所定の音量とを比較し、
前記映像信号入力部に前記映像信号が入力されていると検出されているか、又は、前記アナログ音声信号に対応した音量が前記所定の音量を上回る場合に前記音声信号変換部から前記外部出力音声信号が供給されると該外部出力音声信号を前記音声信号出力部へ通す一方、
前記映像信号入力部に前記映像信号が入力されていると検出されておらず、かつ、前記アナログ音声信号に対応した音量が前記所定の音量を上回らない場合に前記音声信号変換部から前記音声信号出力部への前記外部出力音声信号を遮断状態とすることを特徴とする請求項１〜請求項３のいずれか一項に記載のテレビジョン。
【請求項５】
前記音声出力切替回路は、
前記音声信号入力部に入力されるアナログ音声信号を増幅するための増幅回路と、
該増幅回路で増幅されたアナログ音声信号を平滑するための平滑回路と、
該平滑回路で平滑された音声信号の平滑電圧と前記所定の音量に相当する閾電圧とを比較する比較回路と、
前記音声信号変換部からの前記外部出力音声信号の入力部と前記音声信号出力部への前記外部出力音声信号の出力部との間に設けられたスイッチング回路と、
前記映像信号入力部に入力される映像信号に基づいた信号を平滑するための映像側平滑回路と、
前記音声信号変換部からの前記外部出力音声信号の入力部と前記音声信号出力部への前記外部出力音声信号の出力部との間で前記スイッチング回路と並列に設けられた映像側スイッチング回路とを備え、
前記スイッチング回路は、前記平滑電圧が前記閾電圧を上回る場合の前記比較回路からの出力により前記音声信号変換部からの前記外部出力音声信号を前記音声信号出力部へ通す一方、前記平滑電圧が前記閾電圧を上回らない場合の前記比較回路からの出力により前記音声信号変換部から前記音声信号出力部への前記外部出力音声信号を遮断し、
前記映像側スイッチング回路は、前記映像側平滑回路で平滑された信号の映像側平滑電圧が所定の映像側閾電圧を上回る場合に前記音声信号変換部からの前記外部出力音声信号を前記音声信号出力部へ通す一方、前記映像側平滑電圧が前記映像側閾電圧を上回らない場合に前記音声信号変換部から前記音声信号出力部への前記外部出力音声信号を遮断することを特徴とする請求項４に記載のテレビジョン。
【請求項６】
前記所定の外部機器がパーソナルコンピュータであり、前記外部出力音声信号がデジタルの音声信号である、請求項１〜請求項５のいずれか一項に記載のテレビジョン。
【請求項７】
受信した放送信号に基づいた映像表示及び音声出力を行うための放送信号入力モードと、パーソナルコンピュータから信号を入力するためのＰＣ入力モードと、前記パーソナルコンピュータ以外の外部機器から信号を入力するための外部入力モードと、とを含む入力モードの中から一の入力モードの選択を受け付ける入力モード選択手段を備えるテレビジョンにおいて、
前記パーソナルコンピュータからアナログ音声信号を入力するための音声信号入力部と、
該音声信号入力部に入力されるアナログ音声信号をデジタルの外部出力音声信号に変換するための音声信号変換部と、
前記外部出力音声信号を外部へ出力するための音声信号出力部と、
前記音声信号入力部に入力されるアナログ音声信号を増幅するための増幅回路と、
該増幅回路で増幅されたアナログ音声信号を平滑するための音声側平滑回路と、
該音声側平滑回路で平滑された音声信号の音声側平滑電圧と所定の音量に相当する音声側閾電圧とを比較する比較回路と、
前記音声信号変換部からの前記外部出力音声信号の入力部と前記音声信号出力部への前記外部出力音声信号の出力部との間に設けられた音声側スイッチング回路と、
前記パーソナルコンピュータから映像信号を入力するための映像信号入力部と、
該映像信号入力部に入力される映像信号に基づいた信号を平滑するための映像側平滑回路と、
前記音声信号変換部からの前記外部出力音声信号の入力部と前記音声信号出力部への前記外部出力音声信号の出力部との間で前記音声側スイッチング回路と並列に設けられた映像側スイッチング回路と、
前記音声信号変換部からの前記外部出力音声信号を前記音声側スイッチング回路及び前記映像側スイッチング回路へ供給するか前記音声信号出力部へ供給するかを切り替えるための音声供給切替回路と、
前記入力モードの中から前記ＰＣ入力モードが選択されている場合に前記音声供給切替回路を前記音声側スイッチング回路及び前記映像側スイッチング回路の側へ切り替える一方、前記ＰＣ入力モードが選択されていない場合に前記音声供給切替回路を前記音声信号出力部の側へ切り替える音声供給切替制御手段とを備え、
前記音声側スイッチング回路は、前記音声側平滑電圧が前記音声側閾電圧を上回る場合の前記比較回路からの出力により前記音声信号変換部からの前記外部出力音声信号を前記音声信号出力部へ通す一方、前記音声側平滑電圧が前記音声側閾電圧を上回らない場合の前記比較回路からの出力により前記音声信号変換部から前記音声信号出力部への前記外部出力音声信号を遮断し、
前記映像側スイッチング回路は、前記映像側平滑回路で平滑された信号の映像側平滑電圧が所定の映像側閾電圧を上回る場合に前記音声信号変換部からの前記外部出力音声信号を前記音声信号出力部へ通す一方、前記映像側平滑電圧が前記映像側閾電圧を上回らない場合に前記音声信号変換部から前記音声信号出力部への前記外部出力音声信号を遮断することを特徴とするテレビジョン。
【発明の詳細な説明】
【技術分野】
【０００１】
本発明は、外部機器を接続可能なテレビジョンに関する。
【背景技術】
【０００２】
液晶テレビジョン等のテレビジョンには、パーソナルコンピュータ（以下、ＰＣとも記載）を外部に接続するためのＰＣ入力モードを備えるモデルがある。このモデルは、ＰＣから映像信号及び音声信号を入力し、該映像信号に基づいて映像を表示し、前記音声信号に基づいて音声を出力する。
また、デジタルテレビジョンには、デジタルの音声信号を入出力するためのＳ／ＰＤＩＦ（Sony Philips Digital Interface）端子を備えるモデルがある。このＳ／ＰＤＩＦ端子には、テレビジョンからのデジタルの音声信号に基づいて音声を出力するアンプ等が接続される。
【０００３】
特許文献１に記載のテレビジョン等の消費電力低減回路は、電源トランスから電源供給を受けるマイコンと、電源トランスからそれぞれ制御部を介して電源供給を受ける複数のＩＣ（集積回路）と、からなる。マイコンは、複数のＩＣのそれぞれからステイタス情報を入力し、当該ステイタス情報に従ってスタンバイ状態に設定する。前記消費電力低減回路は、テレビジョン等のスタンバイ時又はスイッチオフ時に動作の不要なＩＣに電源を供給しないことを目的として、マイコンからの制御信号によりスタンバイ状態に不要なＩＣに接続された制御部のスイッチをオフとする。
【先行技術文献】
【特許文献】
【０００４】
【特許文献１】特開２０００−３３０６７４号公報
【特許文献２】特開２００９−９５３２号公報
【特許文献３】特開２００５−１５７９４８号公報
【特許文献４】特開２００３−５０６５２号公報
【発明の概要】
【発明が解決しようとする課題】
【０００５】
スタンバイ時やスイッチオフ時でなくても、テレビジョンから放射されるノイズ（不要輻射）をなるべく減らすことは電波障害を抑制する観点から望ましい。特許文献１記載の技術は、スタンバイ時やスイッチオフ時でない時のノイズ低減が考慮されていない。
【０００６】
なお、特許文献２〜４記載の技術は、テレビジョンでない。
特許文献２記載の情報処理装置は、バッテリの充電残容量を検出し、検出した充電残容量が設定値を上回っている場合にバッテリからＵＳＢデバイスに電力を供給し、検出した充電残容量が設定値を下回っている場合にはバッテリからＵＳＢデバイスに電力を供給しない。
【０００７】
特許文献３記載の電力供給システムは、主装置の手動スイッチである２次側電源スイッチがユーザによりオンとされると副装置がオンとなり、２次側電源スイッチがユーザによりオフとされると副装置がオフとなる。
特許文献４記載の情報処理装置は、Ｓ／ＰＤＩＦ出力端子にプラグが接続されているか否かを検出し、Ｓ／ＰＤＩＦ出力端子にプラグが接続されていることを検出した場合にドライブＩＣに電源を供給し、Ｓ／ＰＤＩＦ出力端子にプラグが接続されていないことを検出した場合にドライブＩＣへの電源の供給を遮断する。
【０００８】
いずれの特許文献２〜４記載の技術も、スタンバイ時やスイッチオフ時でない時のノイズ低減が考慮されていない。
【０００９】
以上を鑑み、本発明は、テレビジョンから放射されるノイズをなるべく減らすことを目的としている。
【課題を解決するための手段】
【００１０】
上記目的を達成するため、本発明は、所定の外部機器を接続可能なテレビジョンにおいて、
前記外部機器からアナログ音声信号を入力するための音声信号入力部と、
該音声信号入力部に入力されるアナログ音声信号を外部出力音声信号に変換するための音声信号変換部と、
前記外部出力音声信号を外部へ出力するための音声信号出力部と、
前記音声信号入力部に入力されるアナログ音声信号に対応した音量と所定の音量とを比較し、前記アナログ音声信号に対応した音量が前記所定の音量を上回る場合に前記音声信号変換部から前記外部出力音声信号が供給されると該外部出力音声信号を前記音声信号出力部へ通す一方、前記アナログ音声信号に対応した音量が前記所定の音量を上回らない場合に前記音声信号変換部から前記音声信号出力部への前記外部出力音声信号を遮断可能な音声出力切替回路とを備えることを特徴とする。
【発明の効果】
【００１１】
請求項１に係る発明によれば、テレビジョンから放射されるノイズをなるべく減らすことができる。
請求項２〜７に係る発明では、テレビジョンから放射されるノイズをなるべく減らす好適な構成を提供することができる。
【図面の簡単な説明】
【００１２】
【図１】テレビジョン１の回路構成の概略を例示するブロック図である。
【図２】音声出力切替回路５の回路構成の概略を例示するブロック図である。
【図３】音声出力切替回路５及び音声供給切替回路７の電気回路を例示する回路図である。
【図４】入力モード選択処理を例示するフローチャートである。
【図５】映像信号ＳＶ１入力検出の例を説明するための図であり、（ａ）は映像信号入力部９に入力される映像信号ＳＶ１に基づいた信号の電圧変化を例示する図、（ｂ）は平滑後の信号の映像側平滑電圧を例示する図、（ｃ）は映像信号ＳＶ１が入力されていないときの信号の電圧を例示する図、（ｄ）は平滑後の信号の映像側平滑電圧を例示する図、である。
【図６】音声信号入力検出の例を説明するための図であり、（ａ）は増幅回路前段部に入力される音声信号の電圧変化を例示する図、（ｂ）は平滑後の音声信号の音声側平滑電圧を例示する図、（ｃ）は音声信号が入力されていない増幅回路前段部の電圧を例示する図、（ｄ）は平滑後の音声信号の音声側平滑電圧を例示する図、である。
【図７】変形例に係る音声出力切替回路５の電気回路を示す回路図である。
【図８】変形例に係る音声出力切替回路５の電気回路を示す回路図である。
【発明を実施するための形態】
【００１３】
（１）テレビジョンの概略：
図１に例示するテレビジョン（以下、ＴＶとも記載）１は、テレビジョン本体１０１とリモコン（リモートコントロール装置）１８０とを備える薄型表示装置とされている。むろん、本発明を適用可能なＴＶは、液晶テレビジョンの他、プラズマテレビジョンといった薄型表示装置、受像管表示装置、記録再生装置が一体化されたテレビジョン、等のディスプレイでもよい。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。
リモコン１８０は、リモコン側送受信装置、複数の操作ボタン（操作入力手段）、等を備え、テレビジョン本体１０１の外部において持ち運び可能とされている。
【００１４】
上記ＴＶ１に例示されるテレビジョンは、所定の外部機器（２００）を接続可能である。このテレビジョンは、
前記外部機器（２００）からアナログ音声信号ＳＳ１を入力するための音声信号入力部２と、
該音声信号入力部２に入力されるアナログ音声信号ＳＳ１を外部出力音声信号ＳＳ２に変換するための音声信号変換部３と、
前記外部出力音声信号ＳＳ２を外部へ出力するための音声信号出力部４と、
前記音声信号入力部２に入力されるアナログ音声信号ＳＳ１に対応した音量（ＶＳｓ）と所定の音量（ＶＳｔ）とを比較し、前記アナログ音声信号ＳＳ１に対応した音量（ＶＳｓ）が前記所定の音量（ＶＳｔ）を上回る場合に前記音声信号変換部３から前記外部出力音声信号ＳＳ２が供給されると該外部出力音声信号ＳＳ２を前記音声信号出力部４へ通す一方、前記アナログ音声信号ＳＳ１に対応した音量（ＶＳｓ）が前記所定の音量（ＶＳｔ）を上回らない場合に前記音声信号変換部３から前記音声信号出力部４への前記外部出力音声信号ＳＳ２を遮断可能な音声出力切替回路５とを備える。
【００１５】
アナログ音声信号ＳＳ１に対応した音量（ＶＳｓ）が所定の音量（ＶＳｔ）を上回る場合、音声信号変換部３から外部出力音声信号ＳＳ２が供給されると該外部出力音声信号ＳＳ２が音声信号出力部４へ通される。一方、アナログ音声信号ＳＳ１に対応した音量（ＶＳｓ）が所定の音量（ＶＳｔ）を上回らない場合、音声信号変換部３から音声信号出力部４への外部出力音声信号ＳＳ２が遮断可能とされている。
すなわち、外部出力音声信号ＳＳ２に変換されるアナログ音声信号ＳＳ１に対応した音量（ＶＳｓ）が小さいとき、スタンバイ時やスイッチオフ時でなくても音声信号変換部３から音声信号出力部４への外部出力音声信号ＳＳ２が遮断可能とされている。これにより、スタンバイ時やスイッチオフ時でない時にテレビジョンから放射されるノイズ（不要輻射）が減り、電波障害が抑制される。
【００１６】
上記テレビジョンは、
受信した放送信号に基づいた映像表示及び音声出力を行うための放送信号入力モードＭ１と、前記所定の外部機器（２００）から信号を入力するための所定外部機器入力モード（Ｍ２）と、とを含む入力モードＭ０の中から一の入力モードの選択を受け付ける入力モード選択手段６と、
前記音声信号変換部３からの前記外部出力音声信号ＳＳ２を前記音声出力切替回路５へ供給するか前記音声信号出力部４へ供給するかを切り替えるための音声供給切替回路７と、
前記入力モードＭ０の中から前記所定外部機器入力モード（Ｍ２）が選択されている場合に前記音声供給切替回路７を前記音声出力切替回路５の側へ切り替える一方、前記所定外部機器入力モード（Ｍ２）が選択されていない場合に前記音声供給切替回路７を前記音声信号出力部４の側へ切り替える音声供給切替制御手段８とをさらに備えていてもよい。この構成は、テレビジョン１から放射されるノイズをなるべく減らすのに好適である。
【００１７】
前記音声出力切替回路５は、
前記音声信号入力部２に入力されるアナログ音声信号ＳＳ１を増幅するための増幅回路２１と、
該増幅回路２１で増幅されたアナログ音声信号ＳＳ１を平滑するための平滑回路２２と、
該平滑回路２２で平滑された音声信号の平滑電圧ＶＳｓと前記所定の音量に相当する閾電圧ＶＳｔとを比較する比較回路２３と、
前記音声信号変換部３からの前記外部出力音声信号ＳＳ２の入力部４１と前記音声信号出力部４への前記外部出力音声信号ＳＳ２の出力部４２との間に設けられたスイッチング回路２４とを備え、
該スイッチング回路２４は、前記平滑電圧ＶＳｓが前記閾電圧ＶＳｔを上回る場合の前記比較回路２３からの出力により前記音声信号変換部３からの前記外部出力音声信号ＳＳ２を前記音声信号出力部４へ通す一方、前記平滑電圧ＶＳｓが前記閾電圧ＶＳｔを上回らない場合の前記比較回路２３からの出力により前記音声信号変換部３から前記音声信号出力部４への前記外部出力音声信号ＳＳ２を遮断してもよい。この構成も、テレビジョン１から放射されるノイズをなるべく減らすのに好適である。
【００１８】
上記テレビジョンは、前記所定の外部機器（２００）から映像信号ＳＶ１を入力するための映像信号入力部９をさらに備えていてもよい。この場合、前記音声出力切替回路５は、
前記映像信号入力部９に前記映像信号ＳＶ１が入力されているか否かを検出するとともに、前記音声信号入力部２に入力されるアナログ音声信号ＳＳ１に対応した音量（ＶＳｓ）と所定の音量（ＶＳｔ）とを比較し、
前記映像信号入力部９に前記映像信号ＳＶ１が入力されていると検出されているか、又は、前記アナログ音声信号ＳＳ１に対応した音量（ＶＳｓ）が前記所定の音量（ＶＳｔ）を上回る場合に前記音声信号変換部３から前記外部出力音声信号ＳＳ２が供給されると該外部出力音声信号ＳＳ２を前記音声信号出力部４へ通す一方、
前記映像信号入力部９に前記映像信号ＳＶ１が入力されていると検出されておらず、かつ、前記アナログ音声信号ＳＳ１に対応した音量（ＶＳｓ）が前記所定の音量（ＶＳｔ）を上回らない場合に前記音声信号変換部３から前記音声信号出力部４への前記外部出力音声信号ＳＳ２を遮断状態としてもよい。この構成も、テレビジョン１から放射されるノイズをなるべく減らすのに好適である。
ここで、映像信号の入力検出は、同期信号（水平同期信号及び垂直同期信号）の重畳された映像信号が入力されているか否かの検出、該映像信号から分離された同期信号又は映像信号が入力されているか否かの検出、等により行うことができる。
【００１９】
前記音声出力切替回路５は、
前記音声信号入力部２に入力されるアナログ音声信号ＳＳ１を増幅するための増幅回路２１と、
該増幅回路２１で増幅されたアナログ音声信号ＳＳ１を平滑するための平滑回路２２と、
該平滑回路２２で平滑された音声信号の平滑電圧ＶＳｓと前記所定の音量（ＶＳｔ）に相当する閾電圧ＶＳｔとを比較する比較回路２３と、
前記音声信号変換部３からの前記外部出力音声信号ＳＳ２の入力部４１と前記音声信号出力部４への前記外部出力音声信号ＳＳ２の出力部４２との間に設けられたスイッチング回路２４と、
前記映像信号入力部９に入力される映像信号ＳＶ１に基づいた信号を平滑するための映像側平滑回路３１と、
前記音声信号変換部３からの前記外部出力音声信号ＳＳ２の入力部４１と前記音声信号出力部４への前記外部出力音声信号ＳＳ２の出力部４２との間で前記スイッチング回路２４と並列に設けられた映像側スイッチング回路３２とを備え、
前記スイッチング回路２４は、前記平滑電圧ＶＳｓが前記閾電圧ＶＳｔを上回る場合の前記比較回路２３からの出力により前記音声信号変換部３からの前記外部出力音声信号ＳＳ２を前記音声信号出力部４へ通す一方、前記平滑電圧ＶＳｓが前記閾電圧ＶＳｔを上回らない場合の前記比較回路２３からの出力により前記音声信号変換部３から前記音声信号出力部４への前記外部出力音声信号ＳＳ２を遮断し、
前記映像側スイッチング回路３２は、前記映像側平滑回路３１で平滑された信号の映像側平滑電圧ＶＶｓが所定の映像側閾電圧ＶＶｔを上回る場合に前記音声信号変換部３からの前記外部出力音声信号ＳＳ２を前記音声信号出力部４へ通す一方、前記映像側平滑電圧ＶＶｓが前記映像側閾電圧ＶＶｔを上回らない場合に前記音声信号変換部３から前記音声信号出力部４への前記外部出力音声信号ＳＳ２を遮断してもよい。この構成も、テレビジョン１から放射されるノイズをなるべく減らすのに好適である。
ここで、映像信号ＳＶ１に基づいた信号には、映像信号ＳＶ１から分離される同期信号（水平同期信号及び垂直同期信号）や映像信号、映像信号ＳＶ１そのもの、のいずれも含まれる。
【００２０】
前記所定の外部機器はパーソナルコンピュータ２００でもよく、前記外部出力音声信号ＳＳ２はデジタルの音声信号でもよい。この構成も、テレビジョン１から放射されるノイズをなるべく減らすのに好適である。
【００２１】
（２）テレビジョンの構成：
図１に例示するテレビジョン本体１０１は、マイクロコンピュータ（マイコン）１１０、送受信装置１１９、表示手段１２０、アナログ音声出力回路１３９、音声出力切替回路５、音声供給切替回路７、ＰＣ用の映像信号入力部９、ＰＣ用の音声信号入力部２、入力端子１４１〜１４３、音声信号出力部４、等を備える。図１では、音声信号の流れを太い線で示している。
まず、表示手段１２０の各部を説明する。
【００２２】
チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。中間周波増幅回路１２３は、チューナ回路１２１から前記中間周波信号を入力し、該中間周波信号を増幅して映像検波回路１２４へ出力する。映像検波回路１２４は、中間周波増幅回路１２３から入力される中間周波信号から復号映像信号及び音声信号を取り出す。復号映像信号には、輝度信号や搬送色信号や同期信号が含まれる。ＡＧＣ（Automatic Gain Control）回路１２５は、映像検波回路１２４から同期信号を入力し、該同期信号の大きさ強さに応じたＲＦ−ＡＧＣ（Radio Frequency Automatic Gain Control）電圧およびＩＦ−ＡＧＣ（Intermediate Frequency Automatic Gain Control）電圧を生成する。
【００２３】
信号処理部１２６は、入力切替部１３１、画像処理部１３２、音声信号変換部３、等を備え、主にＬＳＩ（画像処理ＩＣ）で構成される。信号処理部１２６は、入力される映像信号に対して所定の画像処理を行い、処理後の信号をドライバ１２７へ出力する。
入力切替部１３１は、入力モードに応じて入力する映像信号及び音声信号を切り替える。映像信号を入力するための映像入力端子には、Ｄ端子１４１、ＨＤＭＩ（high-definition multimedia interface）端子１４３、コンポーネント映像端子、Ｓ映像端子、コンポジット映像端子、等の端子を採用することができる。ＰＣ用の映像信号入力部９には、Ｒ（赤），Ｇ（緑），Ｂ（青）の色成分毎にアナログとされたＲＧＢ映像信号の入力端子等を採用することができる。ＨＤＭＩ端子１４３は、音声入力端子も兼ねている。本ＴＶ１は、音声入力端子として、ＰＣ２００用の音声信号入力部２、記録再生装置３０１，３０２用の音声入力端子１４２，１４３、を備えている。音声信号入力部２は、ＰＣ（所定の外部機器）２００からアナログ音声信号を入力するための音声入力端子等とすることができる。記録再生装置３０１，３０２には、ハードディスク記録再生装置、ＢＤ記録再生装置、ＤＶＤ記録再生装置、ビデオデッキ、等が含まれる。
【００２４】
画像処理部１３２は、映像信号の色変換部、ホワイトバランス調整部、ガンマ変換部、等を備え、入力切替部１３１から入力される映像信号を変換してドライバ１２７のためのデジタル映像信号を生成する。ホワイトバランス調整部やガンマ変換部は、例えば、Ｒ，Ｇ，Ｂの色成分毎にデジタルの階調値で表されるＲＧＢ映像信号に対して所定の処理を行い、ドライバ１２７のためのＲＧＢ映像信号を生成する。このため、色変換部は、入力される映像信号がＲＧＢ映像信号でなければＲＧＢ映像信号に色変換する。例えば、輝度信号Ｙ及び色差信号Ｃｂ，Ｃｒを有するＹＣｂＣｒ映像信号が入力されると、このＹＣｂＣｒ映像信号を公知の対応関係に従ってＲＧＢ映像信号に色変換する。
【００２５】
本実施形態の音声信号変換部３は、入力切替部１３１から入力されるアナログ音声信号をデジタルの外部出力音声信号ＳＳ２に変換する。入力モードがＰＣ入力モードＭ２である場合、音声信号入力部２に入力されるアナログ音声信号ＳＳ１がデジタルの外部出力音声信号ＳＳ２に変換される。音声信号変換部３からの外部出力音声信号ＳＳ２は、音声供給切替回路７へ出力される。少なくとも音声信号入力部２に所定の音量を上回るアナログ音声信号が入力されていると、デジタルの外部出力音声信号ＳＳ２が音声信号出力部４からデジタルの音声アンプ４００等の音声出力機器へ出力される。音声信号出力部４は、外部出力音声信号ＳＳ２を外部へ出力するためのＳ／ＰＤＩＦ端子等とすることができる。
【００２６】
また、入力切替部１３１から出力されるアナログ音声信号は、アナログ音声出力回路１３９へ出力される。アナログ音声出力回路１３９は、入力されるアナログ音声信号に対応した音声をスピーカから出力する。
【００２７】
ドライバ１２７は、画像処理部１３２からのデジタルのＲＧＢ映像信号を入力し、液晶モジュール１２８を駆動するための駆動信号をＲＧＢ映像信号に従って生成し、この駆動信号を液晶モジュール１２８へ出力する。液晶モジュール１２８は、画面となる液晶パネル１２８ａ、液晶パネル１２８ａを背面から照射するバックライト１２８ｂ、入力される電源電圧から所定の高電圧を生成してバックライト１２８ｂに供給するインバータ１２８ｃ、を備えている。液晶モジュール１２８は、ドライバ１２７からの駆動信号を入力し、この駆動信号に従ってバックライト１２８ｂを点灯させながら画面（液晶パネル１２８ａ）に映像を表示させる。
以上より、信号処理部１２６に入力される映像信号に対応した映像がＴＶ１の画面（液晶パネル１２８ａ）に表示される。
【００２８】
マイコン１１０は、内部のバスに接続されたＣＰＵ（Central Processing Unit）１１１、半導体メモリ１１２，１１３、時計回路１１４、ＯＳＤ（On-Screen Display）回路１１５、Ｉ／Ｏ（入出力）回路、等を備えている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、ＴＶ１全体の動作を制御する。ＲＯＭ１１２には、コンピュータをＴＶ１として機能させる複数のプログラムが書き込まれている。時計回路１１４は、現在時刻を計時し、一定時間毎に割込信号を生成してＣＰＵ１１１へ出力可能である。ＯＳＤ回路１１５は、ＯＳＤ画面の被重畳信号を生成して信号処理部１２６へ出力する。
マイコン１１０には、リモコン１８０と赤外線信号（無線信号）を送受信可能な送受信装置１１９等が接続されている。
【００２９】
図２は、音声出力切替回路５の回路構成の概略を例示している。音声出力切替回路５は、概略、音声側音声出力切替回路２０と映像側音声出力切替回路３０とに分けられる。音声側音声出力切替回路２０は、増幅回路２１、音声側平滑回路２２、比較回路２３、音声側スイッチング回路２４、を備えている。映像側音声出力切替回路３０は、映像側平滑回路３１、映像側スイッチング回路３２、を備えている。
【００３０】
図３は、音声出力切替回路５及び音声供給切替回路７の電気回路を例示している。
【００３１】
増幅回路２１は、オペアンプＡ１、コンデンサＣ１、抵抗回路Ｒ１〜Ｒ３、を有している。コンデンサＣ１は、一端が音声信号入力部２に接続され、他端が接続点Ｐ１を通って抵抗回路Ｒ１の一端に接続されている。コンデンサＣ１と音声信号入力部２との間に音声信号ＳＳ１を処理する回路が介在していてもよい。抵抗回路Ｒ１の他端は、グランドに接続されている。コンデンサＣ１と抵抗回路Ｒ１の接続点Ｐ１は、オペアンプＡ１の非反転入力端子に接続されている。抵抗回路Ｒ２は、一端がオペアンプＡ１の出力端子に接続され、他端がオペアンプＡ１の反転入力端子に接続されている。抵抗回路Ｒ３は、一端がオペアンプＡ１の反転入力端子に接続され、他端が接地されている。オペアンプＡ１の増幅倍率は、概略、抵抗回路Ｒ２の抵抗値ｒ２を抵抗回路Ｒ３の抵抗値ｒ３で除したｒ２／ｒ３となる。例えば、ｒ２＝１０Ω、ｒ３＝１ｋΩであれば、増幅倍率は概略１００倍となる。オペアンプＡ１の正電源の電圧Ｅ１は、特に限定されないが、例えば１５Ｖ程度とすることができる。
以上より、増幅回路２１は、音声信号入力部２に入力されるアナログ音声信号ＳＳ１を増幅する。
【００３２】
音声側平滑回路２２は、抵抗回路Ｒ４、コンデンサＣ２、を有している。抵抗回路Ｒ４は、一端がオペアンプＡ１の出力端子に接続され、他端が接続点Ｐ２を通ってコンデンサＣ２の一端に接続されている。コンデンサＣ２の他端は、接地されている。
以上より、音声側平滑回路２２は、増幅回路２１で増幅されたアナログ音声信号ＳＳ１を平滑する。
【００３３】
比較回路２３は、コンパレータＡ２、抵抗回路Ｒ５，Ｒ６、を有している。抵抗回路Ｒ５は、一端が電圧Ｅ１の電源ラインに接続され、他端が分圧点（接続点）Ｐ３を通ってコンパレータＡ２の反転入力端子に接続されている。抵抗回路Ｒ６は、一端が分圧点Ｐ３を通ってコンパレータＡ２の反転入力端子に接続され、他端が接地されている。すなわち、コンパレータＡ２の反転入力端子には、抵抗回路Ｒ６の抵抗値ｒ６を抵抗回路Ｒ５，Ｒ６の合計抵抗値ｒ５＋ｒ６で除した分圧比に電圧Ｅ１を乗じた音声側閾電圧ＶＳｔが入力される。例えば、ｒ５＝１０ｋΩ、ｒ６＝１００ｋΩ、Ｅ１＝１５Ｖであれば、ＶＳｔ＝約１．４Ｖとなる。一方、コンパレータＡ２の非反転入力端子には、音声側平滑回路の接続点Ｐ２の音声側平滑電圧ＶＳｓが入力される。
以上より、比較回路２３は、音声側平滑回路２２で平滑された音声信号の音声側平滑電圧ＶＳｓと所定の音量に相当する音声側閾電圧ＶＳｔとを比較する。
【００３４】
音声側スイッチング回路２４は、トランジスタＴＲ１，ＴＲ２、抵抗回路Ｒ７〜Ｒ９、を有している。抵抗回路Ｒ７は、一端がコンパレータＡ２の出力端子に接続され、他端が分圧点（接続点）Ｐ４を通ってｎｐｎ形トランジスタＴＲ１のベースに接続されている。抵抗回路Ｒ８は、一端が分圧点Ｐ４を通ってトランジスタＴＲ１のベースに接続され、他端が接地されている。すなわち、トランジスタＴＲ１のベースには、抵抗回路Ｒ８の抵抗値ｒ８を抵抗回路Ｒ７，Ｒ８の合計抵抗値ｒ７＋ｒ８で除した分圧比の電圧が入力される。トランジスタＴＲ１は、コレクタがｐｎｐ形トランジスタＴＲ２のベースに接続され、エミッタが接地されている。外部出力音声信号ＳＳ２のスイッチングトランジスタＴＲ２は、エミッタが外部出力音声信号ＳＳ２の入力部４１に接続され、コレクタが外部出力音声信号ＳＳ２の出力部４２に接続されている。抵抗回路Ｒ９は、一端がトランジスタＴＲ２のエミッタに接続され、他端がトランジスタＴＲ２のベースに接続されている。
以上より、音声側スイッチング回路２４は、音声側平滑電圧ＶＳｓが音声側閾電圧ＶＳｔを上回る場合の比較回路２３からの出力により音声信号変換部３からの外部出力音声信号ＳＳ２を音声信号出力部４へ通す一方、音声側平滑電圧ＶＳｓが音声側閾電圧ＶＳｔを上回らない場合の比較回路２３からの出力により音声信号変換部３から音声信号出力部４への外部出力音声信号ＳＳ２を遮断する。
【００３５】
上記音声側閾電圧ＶＳｔは、外部機器から音声が入力されているか否かを判断するための目安の音量が表された電圧であり、０Ｖよりも大きい範囲で音声側平滑電圧ＶＳｓよりも低く設定すればよく、特に限定されないが、例えば３０ｍＶ程度とすることができる。
【００３６】
映像側平滑回路３１は、コンデンサＣ３、抵抗回路Ｒ１０，Ｒ１１、を有している。抵抗回路Ｒ１０は、一端が映像信号入力部９に接続され、他端が接続点Ｐ５を通ってｎｐｎ形トランジスタＴＲ３のベースに接続されている。抵抗回路Ｒ１０と映像信号入力部９との間には、映像信号から水平同期信号及び垂直同期信号を分離する公知の回路など映像信号ＳＶ１を処理する回路１０が介在していてもよい。コンデンサＣ３は、一端が接続点Ｐ５を通ってトランジスタＴＲ３のベースに接続され、他端が接地されている。抵抗回路Ｒ１１は、一端がトランジスタＴＲ３のベースに接続され、他端が接地されている。
以上より、映像側平滑回路３１は、映像信号入力部９に入力される映像信号ＳＶ１に基づいた信号を平滑する。
【００３７】
映像側スイッチング回路３２は、トランジスタＴＲ３，ＴＲ４、抵抗回路Ｒ１２，Ｒ１３、を有している。トランジスタＴＲ３のコレクタはｐｎｐ形トランジスタＴＲ４のベースに接続され、エミッタが接地されている。抵抗回路Ｒ１２は、一端が電圧Ｅ２の電源ラインに接続され、他端が接地されている。正電源の電圧Ｅ２は、特に限定されないが、例えば５Ｖ程度とすることができる。外部出力音声信号ＳＳ２のスイッチングトランジスタＴＲ４は、エミッタが外部出力音声信号ＳＳ２の入力部４１に接続され、コレクタが外部出力音声信号ＳＳ２の出力部４２に接続されている。すなわち、スイッチングトランジスタＴＲ２，ＴＲ４は、ＯＲ回路を構成している。抵抗回路Ｒ１３は、一端がトランジスタＴＲ４のエミッタに接続され、他端がトランジスタＴＲ４のベースに接続されている。
以上より、映像側スイッチング回路３２は、映像側平滑回路３１で平滑された信号の映像側平滑電圧ＶＶｓが所定の映像側閾電圧ＶＶｔを上回る場合に音声信号変換部３からの外部出力音声信号ＳＳ２を音声信号出力部４へ通す一方、映像側平滑電圧ＶＶｓが映像側閾電圧ＶＶｔを上回らない場合に音声信号変換部３から音声信号出力部４への外部出力音声信号ＳＳ２を遮断する。
【００３８】
上記映像側閾電圧ＶＶｔは、外部機器から映像が入力されているか否かを判断するための目安の電圧であり、０Ｖよりも大きい範囲で映像側平滑電圧ＶＶｓよりも低く設定すればよく、特に限定されないが、例えば０．６Ｖ程度とすることができる。
なお、抵抗回路Ｒ１〜Ｒ１３は、一つの抵抗器で構成されてもよいし、複数の抵抗器で構成されてもよい。コンデンサＣ１〜Ｃ３も、一つのコンデンサで構成されてもよいし、複数のコンデンサで構成されてもよい。
【００３９】
音声供給切替回路７は、スイッチ回路で構成され、音声供給切替制御手段８とされるマイコン１１０からの指示信号に応じて音声信号変換部３からの外部出力音声信号ＳＳ２の供給先を切り替える。音声供給切替回路７の入力部は、音声信号変換部３の外部出力音声信号の出力部に接続されている。音声供給切替回路７の一方の出力部は、音声出力切替回路５の入力部４１に接続されている。音声供給切替回路７の他方の出力部は、直接、音声信号出力部４に接続されている。従って、入力モードがＰＣ入力モードＭ２に設定されている場合に供給先が音声出力切替回路５とされ、入力モードがＰＣ入力モード以外のモードＭ１，Ｍ３に設定されている場合に供給先が音声信号出力部４とされる。これにより、ＰＣ入力モードＭ２以外の場合にはＰＣ用の音声信号入力部２に所定音量を上回るアナログ音声信号が入力されていなくても音声信号変換部３から音声信号出力部４へのデジタルの外部出力音声信号が遮断されない。ＰＣ入力モードＭ２の場合には、ＰＣ用の音声信号入力部２に所定音量を上回るアナログ音声信号が入力されていなければ音声信号変換部３から音声信号出力部４へのデジタルの外部出力音声信号が遮断され、スタンバイ時やスイッチオフ時でない時であってもＴＶ１から放射されるノイズ（不要輻射）が減る。
【００４０】
（３）入力モード選択処理：
図４は、ＴＶ１で行われる入力モード選択処理をフローチャートにより例示している。本処理は、例えば、入力モードを選択するための所定の操作がリモコン１８０に対して行われたときに開始し、マルチタスクにより他の処理と並列して行われる。ここで、ステップＳ１０２〜Ｓ１０４の処理を行うマイコン１１０は、リモコン１８０とともに入力モード選択手段６を構成する。また、ステップＳ１０６〜Ｓ１１０の処理を行うマイコン１１０は、音声供給切替制御手段８を構成する。以下、「ステップ」の記載を省略する。
【００４１】
処理を開始すると、ＴＶ１は、入力モードの操作入力を受け付ける（Ｓ１０２）。例えば、リモコン１８０の操作ボタンに設けた入力モード切替ボタンが押し操作される毎に「放送モード」（放送信号入力モードＭ１）、「ＨＤＭＩモード」（外部入力モードＭ３）、「Ｄ端子モード」（外部入力モードＭ３）、「ＰＣ入力モード」（ＰＣ入力モードＭ２）、元の「放送モード」、の順に切り替え、リモコン１８０の操作ボタンに設けた確定ボタンが押し操作されたときの入力モードを現在の設定とすればよい。ここで、放送信号入力モードＭ１は、受信した放送信号に基づいた映像表示及び音声出力を行うための入力モードである。ＰＣ入力モードＭ２は、ＰＣ２００から入力した映像信号及び音声信号に基づいた映像表示及び音声出力を行うための入力モードである。外部入力モードＭ３は、ＰＣ２００以外の外部機器（記録再生装置３０１，３０２）から入力した映像信号及び音声信号に基づいた映像表示及び音声出力を行うための入力モードである。
なお、逆順に入力モードを切り替えるための入力モード逆順ボタンがリモコン１８０に設けられてもよい。
【００４２】
Ｓ１０４では、選択された入力モードに対応するデータをＲＡＭ１１３に記憶する。図４には、「放送モード」が選択されたときに「１」が格納され、「ＨＤＭＩモード」が選択されたときに「２」が格納され、「Ｄ端子モード」が選択されたときに「３」が格納され、「ＰＣ入力モード」が選択されたときに「４」が格納されることが示されている。
【００４３】
Ｓ１０６では、全ての入力モードＭ０の中からＰＣ入力モードＭ２が選択されているか否かを判断する。ＲＡＭに「４」が格納されているとき、すなわち、ＰＣ入力モードＭ２が選択されたとき、ＴＶ１は、音声供給切替回路７を音声側スイッチング回路２４及び映像側スイッチング回路３２の側（音声出力切替回路５の側）へ切り替え（Ｓ１０８）、入力モード選択処理を終了させる。一方、ＲＡＭに「４」が格納されていないとき、すなわち、ＰＣ入力モードＭ２が選択されていないとき、ＴＶ１は、音声供給切替回路７を音声信号出力部４の側へ切り替え、（Ｓ１１０）、入力モード選択処理を終了させる。
【００４４】
（４）テレビジョンの動作、作用、及び、効果：
次に、ＴＶ１の動作、作用、及び、効果を説明する。
まず、入力モードＭ０の中からＰＣ入力モードＭ２が選択されているものとする。この場合、音声供給切替回路７は音声出力切替回路５側に切り替えられ、音声信号変換部３からの外部出力音声信号ＳＳ２が音声出力切替回路５に供給される。
【００４５】
図５（ａ）は、ＰＣ２００から映像信号入力部９にアナログの映像信号ＳＶ１が入力されているときの映像信号ＳＶ１に基づいた水平同期信号のラインＨ−ＳＹＮＣの電圧変化を例示している。ここで、図５（ａ）〜（ｄ）において、横軸は時間軸、縦軸は電圧である。図５（ａ）に示すように、水平同期信号は、同期期間（例えば水平同期期間）に比較的低い電圧となり、残りの期間に比較的高い電圧となる方形波状の波形となる。映像信号入力部９に入力した映像信号ＳＶ１に基づいた水平同期信号は、映像側平滑回路３１で平滑され、図５（ｂ）に例示するように接続点Ｐ５において映像側平滑電圧ＶＶｓの信号となる。この映像側平滑電圧ＶＶｓはトランジスタＴＲ３の映像側閾電圧ＶＶｔよりも高いため、トランジスタＴＲ３がオンとなり、外部出力音声信号ＳＳ２のスイッチングトランジスタＴＲ４のベースがグランド電位に引き込まれる。これにより、トランジスタＴＲ４のエミッタ−コレクタ間が導通状態となり、音声信号変換部３からのデジタルの外部出力音声信号ＳＳ２が音声信号出力部４へ通される。すなわち、ＰＣ入力モードＭ２で映像側平滑電圧ＶＶｓが映像側閾電圧ＶＶｔを上回る場合、音声信号入力部２に入力されるアナログ音声信号ＳＳ１の状態にかかわらず、音声アンプ４００等の外部のデジタル用音声出力機器から外部出力音声信号ＳＳ２に基づいた音声が出力される。
【００４６】
図５（ｃ）は、ＰＣ２００から映像信号入力部９にアナログの映像信号ＳＶ１が入力されていないときの水平同期信号ラインＨ−ＳＹＮＣの電圧変化を例示している。この場合、映像信号ＳＶ１は、比較的低い電圧が維持される。すると、図５（ｄ）に例示するように、映像側平滑回路３１で平滑された信号の映像側平滑電圧ＶＶｓは、トランジスタＴＲ３の映像側閾電圧ＶＶｔよりも低くなる。このため、トランジスタＴＲ３がオフとなり、外部出力音声信号ＳＳ２のスイッチングトランジスタＴＲ４のベースがハイレベルの電圧となる。これにより、トランジスタＴＲ４のエミッタ−コレクタ間が遮断状態となり、音声信号変換部３から音声信号出力部４へのデジタルの外部出力音声信号ＳＳ２が遮断される。すなわち、ＰＣ入力モードＭ２で映像側平滑電圧ＶＶｓが映像側閾電圧ＶＶｔを上回らない場合、音声信号入力部２に入力されるアナログ音声信号ＳＳ１の状態に応じて音声アンプ４００等のデジタル用音声出力機器から外部出力音声信号ＳＳ２に基づいた音声が出力されたり出力されなかったりする。
【００４７】
図６（ａ）は、ＰＣ２００から音声信号入力部２に所定音量以上のアナログ音声信号ＳＳ１が入力されているときの接続点Ｐ１の電圧変化を例示している。ここで、図６（ａ）〜（ｄ）において、横軸は時間軸、縦軸は電圧である。図６（ａ）に示すように、音声信号ＳＳ１は、比較的大きな振幅ｙを有する正弦波状に電圧が変化する波形となる。ここで、振幅ｙは、音声信号ＳＳ１の電圧における相加平均（図６（ａ）中、二点鎖線で図示）と最大値との差とする。音声信号入力部２に入力したアナログ音声信号ＳＳ１は、増幅回路２１で増幅され、該増幅後に音声側平滑回路２２で平滑され、図６（ｂ）に例示するように接続点Ｐ２において音声側平滑電圧ＶＳｓの信号となる。音声側平滑電圧ＶＳｓは、振幅ｙが大きいほど高くなる。コンパレータＡ２の非反転入力端子の音声側平滑電圧ＶＳｓがコンパレータＡ２の音声側閾電圧ＶＳｔよりも高いため、コンパレータＡ２の電圧出力がハイとなり、抵抗回路Ｒ７，Ｒ８の分圧点Ｐ４の電圧がハイとなる。この分圧点Ｐ４に接続されたトランジスタＴＲ１のベースの電圧がハイとなることにより、トランジスタＴＲ１がオンとなり、外部出力音声信号ＳＳ２のスイッチングトランジスタＴＲ２のベースがグランド電位に引き込まれる。これにより、トランジスタＴＲ２のエミッタ−コレクタ間が導通状態となり、音声信号変換部３からのデジタルの外部出力音声信号ＳＳ２が音声信号出力部４へ通される。すなわち、ＰＣ入力モードＭ２で音声側平滑電圧ＶＳｓが音声側閾電圧ＶＳｔを上回る場合、映像信号入力部９に入力される映像信号ＳＶ１の状態にかかわらず、音声アンプ４００等のデジタル用音声出力機器から外部出力音声信号ＳＳ２に基づいた音声が出力される。
【００４８】
図６（ｃ）は、ＰＣ２００から音声信号入力部２に所定音量以上のアナログ音声信号ＳＳ１が入力されていないときの接続点Ｐ１の電圧変化を例示している。この場合、音声信号ＳＳ１は、振幅ｙが比較的小さいため、増幅回路２１で増幅されて音声側平滑回路２２で平滑されたときに電圧が比較的低い音声側平滑電圧ＶＳｓとなる。すると、図６（ｄ）に例示するように、音声側平滑電圧ＶＳｓは、コンパレータＡ２の音声側閾電圧ＶＳｔよりも低くなる。このため、トランジスタＴＲ１がオフとなり、外部出力音声信号ＳＳ２のスイッチングトランジスタＴＲ２のベースがハイレベルの電圧となる。これにより、トランジスタＴＲ２のエミッタ−コレクタ間が遮断状態となり、音声信号変換部３から音声信号出力部４へのデジタルの外部出力音声信号ＳＳ２が遮断される。すなわち、ＰＣ入力モードＭ２で音声側平滑電圧ＶＳｓが音声側閾電圧ＶＳｔを上回らない場合、映像信号入力部９に入力される映像信号ＳＶ１の状態に応じて音声アンプ４００等のデジタル用音声出力機器から外部出力音声信号ＳＳ２に基づいた音声が出力されたり出力されなかったりする。
【００４９】
以上より、ＰＣ入力モードＭ２の場合、映像信号入力部９に映像信号ＳＶ１が入力されていると検出されているか、又は、アナログ音声信号ＳＳ１に対応した音量（音声側平滑電圧ＶＳｓ）が所定の音量（音声側閾電圧ＶＳｔ）を上回れば、音声信号変換部３からの外部出力音声信号ＳＳ２が音声信号出力部４へ通される。
一方、映像信号入力部９に映像信号ＳＶ１が入力されていると検出されておらず、かつ、アナログ音声信号ＳＳ１に対応した音量（音声側平滑電圧ＶＳｓ）が所定の音量（音声側閾電圧ＶＳｔ）を上回らなければ、音声信号変換部３から音声信号出力部４への外部出力音声信号ＳＳ２が遮断状態とされる。この場合、音声信号変換部３から出力されるデジタルの外部出力音声信号ＳＳ２によるノイズ（不要輻射）が抑制される。従って、上述した技術により、ＴＶ１から放射されるノイズをなるべく減らすことができる。特に、デジタルの外部出力音声信号はＥＭＩ（Electromagnetic Interference）規格の周波数域に入ることが多いので、ノイズ（不要輻射）を減らすことは電波障害を抑制する観点から望ましい。
【００５０】
なお、入力モードＭ０の中からＰＣ入力モードＭ２以外の入力モードが選択されている場合、音声供給切替回路７は音声信号出力部４側に切り替えられ、音声信号変換部３からの外部出力音声信号ＳＳ２が直接、音声信号出力部４に供給される。従って、映像信号入力部９に入力される映像信号ＳＶ１の状態や、音声信号入力部２に入力される音声信号ＳＳ１の状態にかかわらず、音声信号変換部３からの外部出力音声信号ＳＳ２が音声信号出力部４に供給され、音声アンプ４００等のデジタル用音声出力機器から外部出力音声信号ＳＳ２に基づいた音声が出力される。
【００５１】
（５）変形例：
テレビジョンに接続される所定の外部機器は、パーソナルコンピュータのみならず、ゲーム機といったコンピュータ等でもよい。すなわち、所定外部機器入力モードでゲーム機といったコンピュータ等から信号を入力して外部出力音声信号を出力してもよい。
上記映像信号入力部は、アナログの映像信号を入力するのみならず、デジタルの映像信号を入力してもよい。この場合のテレビジョンも、本発明に含まれる。
上記音声信号変換部は、デジタルの外部出力音声信号を出力するのみならず、音声信号入力部に入力されるアナログ音声信号を別のアナログの外部出力音声信号に変換してもよい。この場合のテレビジョンも、本発明に含まれる。この場合、音声信号出力部は、アナログの外部出力音声信号を出力する。
上記音声出力切替回路は、様々な回路が考えられる。例えば、音声側平滑回路の前段の増幅回路は、省略することも可能である。音声側平滑回路の後段の比較回路も、トランジスタＴＲ１のオンオフの閾電圧によっては省略可能である。むろん、音声側平滑回路の後段や映像側平滑回路の前段等に増幅回路を追加してもよい。音声側音声出力切替回路２０のトランジスタＴＲ１，ＴＲ２は、一つのスイッチング素子や一つのＩＣ等とされてもよい。映像側音声出力切替回路３０のトランジスタＴＲ３，ＴＲ４も、一つのスイッチング素子や一つのＩＣ等とされてもよい。
【００５２】
図７に例示するように音声供給切替回路７及び音声供給切替制御手段８が設けられていないＴＶも、本発明に含まれる。例えば、上記音声信号変換部でパーソナルコンピュータからのアナログ音声信号のみが外部出力音声信号に変換される場合、音声信号変換部３からの外部出力音声信号ＳＳ２を直接、音声出力切替回路５に供給することにより、本発明が実施される。音声信号出力部４がパーソナルコンピュータ（所定の外部機器）専用の出力部である場合も、同様である。
【００５３】
また、図８に例示するように映像側音声出力切替回路３０が設けられていないＴＶも、本発明に含まれる。すなわち、アナログ音声信号ＳＳ１に対応した音量（音声側平滑電圧ＶＳｓ）が所定の音量（音声側閾電圧ＶＳｔ）を上回れば、音声信号変換部３からの外部出力音声信号ＳＳ２が音声信号出力部４へ通される。一方、アナログ音声信号ＳＳ１に対応した音量（音声側平滑電圧ＶＳｓ）が所定の音量（音声側閾電圧ＶＳｔ）を上回らなければ、映像信号入力部９に入力される映像信号ＳＶ１の状態に関係無く、音声信号変換部３から音声信号出力部４への外部出力音声信号ＳＳ２が遮断状態とされる。従って、ＴＶ１から放射されるノイズをなるべく減らすことができる。
【００５４】
以上説明したように、本発明によると、種々の態様により、テレビジョンから放射されるノイズをなるべく減らすことができる。
【００５５】
なお、従属請求項に係る構成要件を有しておらず独立請求項に係る構成要件のみからなるテレビジョンでも、上述した基本的な作用、効果が得られる。
【００５６】
また、本発明は上記実施例に限られるものでないことは言うまでもない。当業者であれば言うまでもないことであるが、
・上記実施例の中で開示した相互に置換可能な部材及び構成等を適宜その組み合わせを変更して適用すること
・上記実施例の中で開示されていないが、公知技術であって上記実施例の中で開示した部材及び構成等と相互に置換可能な部材及び構成等を適宜置換し、またその組み合わせを変更して適用すること
・上記実施例の中で開示されていないが、公知技術等に基づいて当業者が上記実施例の中で開示した部材及び構成等の代用として想定し得る部材及び構成等と適宜置換し、またその組み合わせを変更して適用すること
は本発明の一実施例として開示されるものである。
【符号の説明】
【００５７】
１…テレビジョン、
２…音声信号入力部、３…音声信号変換部、４…音声信号出力部、
５…音声出力切替回路、
６…入力モード選択手段、７…音声供給切替回路、８…音声供給切替制御手段、
９…映像信号入力部、
２０…音声側音声出力切替回路、
２１…増幅回路、２２…音声側平滑回路、２３…比較回路、
２４…音声側スイッチング回路、
３０…映像側音声出力切替回路、
３１…映像側平滑回路、３２…映像側スイッチング回路、
４１…外部出力音声信号の入力部、４２…外部出力音声信号の出力部、
１１０…マイクロコンピュータ、
１２６…信号処理部、１３１…入力切替部、１３２…画像処理部、
１８０…リモートコントロール装置、
２００…パーソナルコンピュータ（所定の外部機器）、
３０１，３０２…記録再生装置、４００…音声アンプ、
ＳＳ１…アナログ音声信号、ＳＳ２…外部出力音声信号、
ＳＶ１…映像信号。
【図１】
2012044314.tif 000003
【図２】
2012044314.tif 000004
【図３】
2012044314.tif 000005
【図４】
2012044314.tif 000006
【図５】
2012044314.tif 000007
【図６】
2012044314.tif 000008
【図７】
2012044314.tif 000009
【図８】
2012044314.tif 000010